(57)【要約】      （修正有）【課題】収納が容易で商品の陳列効果に優れたチャック付自立角底袋を提供する。【解決手段】前面フィルム１又は後面フィルム２の一方にヘッダー７を形成する。他方に開口縁部８を形成する。開口縁部８を密封チャック３の上部に近接するように設ける。帯状片を長手方向に沿って二つ折りして位置決めシールを形成する。位置決めシールを密封チャック３の下方に平行に溶着する。位置決めシールの下方から位置決めシールの間に横マチ部４を挿入する。横マチ部４の上端部を位置決めシールに溶着する。位置決めシールと横マチ部４とを後面フィルム２に溶着する。【選択図】図１
0003194302.tif 000002
【実用新案登録請求の範囲】
【請求項１】
合成樹脂製袋体の前面フィルムと後面フィルムとの開口部内側に密封チャックが溶着されると共に、前面フィルムと後面フィルムとの左右側縁に一対の横マチ部が溶着された底ガゼット袋にて構成される密封チャック付自立角底袋において、前面フィルム又は後面フィルムのいずれか一方の高さを他方の高さよりも高くしてヘッダーを形成すると共に、他方の高さを密封チャックの上部に近接するように低くして開口縁部を形成したことを特徴とする密封チャック付自立角底袋。
【請求項２】
前記底ガゼット袋は、帯状シール片が長手方向に沿って二つ折りされた位置決めシールが形成され、該位置決めシールが密封チャックの下方に平行に溶着され、該位置決めシールの下方から位置決めシールの間に挿入して位置決めされた横マチ部の上端部が該位置決めシールに溶着されると共に、これら位置決めシールと横マチ部とが後面フィルムに溶着されている請求項１記載のチャック付自立角底袋。
【請求項３】
前記底ガゼット袋の前記ヘッダーは補強片が重合され、これらヘッダーと補強片を貫通する係止部が形成された請求項１又は２記載のチャック付自立角底袋。
【考案の詳細な説明】
【技術分野】
【０００１】
本考案は、開口部にチャックが付いた自立角底袋に係り、特に、開口部からの収納が容易なチャック付自立角底袋に関する。
【背景技術】
【０００２】
開口部にチャックが付いたガゼット袋はこれまで多く提供されている。例えば、当考案者は、先に、密封チャック付ガゼット袋及びその製造方法を提案している（特許文献１参照）。このガゼット袋は、密封チャックの下方に位置決めシールを平行に溶着し、この位置決めシールの間に横マチ部の上端部を挿入して位置決めシールに溶着するものである。
【０００３】
この密封チャック付ガゼット袋により、横マチ部の上端部の位置が位置決めシールによって正確、且つ容易に位置決めされ、しかも、この上端部が密封チャックに重ならないので、高い密封性能を維持することができるものである。
【先行技術文献】
【特許文献】
【０００４】
【特許文献１】特許第４３７０６０４号公報
【考案の開示】
【考案が解決しようとする課題】
【０００５】
特許文献１に記載のガゼット袋により、高い密封性能を維持する密封チャック付ガゼット袋の提供が可能になった。しかも、チャックの位置が位置決めシールの上に設置されるので、ガゼット袋の開口部は横マチ部の上端部を溶着した位置決めシールを介して形成されることになる。そのため、開口部から袋の内部に収納物を収納する際は、横マチ部の上端部は全く妨げにならずに済む。
【０００６】
ところが、これまで、密封チャック付ガゼット袋を利用して商品の陳列などに適したチャック付自立角底袋は提案されていなかった。
【０００７】
そこで本考案は、上述の課題を解消し、チャック付のガゼット袋を改良することで、更に収納が容易になり、しかも商品の陳列効果に優れたチャック付自立角底袋の提供を目的とするものである。
【課題を解決するための手段】
【０００８】
本考案の第１の手段は、合成樹脂製袋体の前面フィルム１と後面フィルム２との開口部内側に密封チャック３が溶着されると共に、前面フィルム１と後面フィルム２との左右側縁に一対の横マチ部４が溶着された底ガゼット袋にて構成される密封チャック付自立角底袋において、前面フィルム１又は後面フィルム２のいずれか一方の高さを他方の高さよりも高くしてヘッダー７を形成すると共に、他方の高さを密封チャックの上部に近接するように低くして開口縁部８を形成したことにある。
【０００９】
第２の手段において、前記底ガゼット袋は、帯状シール片５０が長手方向に沿って二つ折りされた位置決めシール５が形成され、該位置決めシール５が密封チャック３の下方に平行に溶着され、該位置決めシール５の下方から位置決めシール５の間に挿入して位置決めされた横マチ部４の上端部が該位置決めシール５に溶着されると共に、これら位置決めシール５と横マチ部４とが後面フィルム２に溶着されたものである。
【００１０】
第３の手段において、前記底ガゼット袋の前記ヘッダー７は補強片７Ｂが重合され、これらヘッダー７と補強片７Ｂを貫通する係止部７Ａが形成されたものである。
【考案の効果】
【００１１】
本考案の請求項１のごとく、前面フィルム１又は後面フィルム２のいずれか一方の高さを他方の高さよりも高くしてヘッダー７を形成すると共に、他方の高さを密封チャック３の上部に近接するように低くして開口縁部８を形成したことにより、開口縁部８を持って密封チャック３を開けると、開口部が開口縁部８側に向けて大きく開き、開口部から上方に沿ってヘッダー７が延長された状態になる。この結果、大きく開いた開口部からヘッダー７に沿って収納物を収納することができるので、収納作業が極めて容易になるものである。
【００１２】
しかも、ヘッダー７は前面フィルム１又は後面フィルム２のいずれか一方に設けたことから、ヘッダー７の形状を自由に変更することができる。この結果、ヘッダー７のデザインによって陳列効果を高めることも可能である。
【００１３】
請求項２のように、位置決めシール５の下方から位置決めシール５の間に挿入して位置決めされた横マチ部４の上端部が該位置決めシール５に溶着されると共に、これら位置決めシール５と横マチ部４とが後面フィルム２に溶着されたものであるから、横マチ部４の上端部が密封チャック３に重ならないので、高い密封性能を維持することができる。しかも、開口部から袋の内部に収納物を収納する際は、横マチ部４の上端部は全く妨げにならずに済む。
【００１４】
請求項３のごとく、底ガゼット袋の前記ヘッダー７は補強片７Ｂが重合されているので、ヘッダー７を強化することができる。しかも、このヘッダー７と補強片７Ｂを貫通する係止部７Ａを形成することで、用途に応じた任意形状の係止部７Ａを形成することも可能である。
【００１５】
このように本考案によると、収納が容易になり、しかも商品の陳列効果に優れたチャック付自立角底袋の提供が可能になったものである。
【図面の簡単な説明】
【００１６】
【図１】本考案袋の一実施例を示す斜視図である。
【図２】本考案袋のヘッダーと開口縁部を示す要部断面図である。
【図３】本考案の横マチ部と位置決めシールとを示す分解斜視図である。
【図４】本考案の底ガゼット袋の他の実施例を示す要部斜視図である。
【図５】本考案自立角底袋の一部を示す分解斜視図である。
【図６】本考案袋の一実施例を示す正面図である。
【考案を実施するための形態】
【００１７】
本考案で使用する底ガゼット袋Ｐは合成樹脂材とし、例えば、厚さ0.03〜0.1mmのポリプロピレンフィルムに厚さ0.015 mmのナイロンフィルムがラミネートされたフィルム材にて形成された袋体を使用する。また、このほかの材質として、OPPフィルムシート、CCPフィルム、PEフィルム、A-PETフィルム、PETフィルムシート、OPSフィルムなどの使用も可能である。
【００１８】
本考案密封チャック付自立角底袋は、底ガゼット袋を使用するものである（図１参照）。すなわち、前面フィルム１と後面フィルム２との開口部内側に密封チャック３が溶着されると共に、前面フィルム１と後面フィルム２との左右側縁に一対の横マチ部４が溶着されると共に底部６が形成されたものである。
【００１９】
そして、前面フィルム１又は後面フィルム２のいずれか一方の高さを他方の高さよりも高くしてヘッダー７を形成する（図２参照）。更に、他方の高さを密封チャック３の上部に近接するように低くして開口縁部８を形成する。図示例では、後面フィルム２側にヘッダー７を形成し、前面フィルム１側に開口縁部８を形成している。
【００２０】
図３では、帯状片が長手方向に沿って二つ折りされた位置決めシール５を用いて密封チャック３や横マチ部４を設けるものである。すなわち、後面フィルム２の所定位置に密封チャック３を溶着し、この密封チャック３の下方に位置決めシール５を平行に溶着する。更に、位置決めシール５の下方から位置決めシール５の間に横マチ部４の上端部を挿入してこの上端部を位置決めシール５に溶着し、これら位置決めシール５と横マチ部４とを後面フィルム２に溶着する（図５参照）。そして後面フィルム２に前面フィルム１を重ねて溶着することで、密封チャック付の自立角底袋が形成される（図１参照）。また、本考案で使用する底ガゼット袋の構造は、横マチ部４の上端部に帯状の位置決めシール５を接合した底ガゼット袋を使用することも可能である（図４参照）。
【００２１】
図示のヘッダー７は補強片７Ｂが重合されている（図２参照）。そして、補強片７Ｂを重合したヘッダー７に係止部７Ａを貫通形成する（図１参照）。図示の係止部７Ａは小径口の孔状を成し、係止ピン等に係止するものである。また、手指にて係止する係止部７Ａを形成することで手提げとして用いることも可能である（図示せず）。
【００２２】
図６は、ヘッダー７に装飾体９を設けた例を示している。この装飾体９は、補強片７Ｂ上に別体で設ける他、ヘッダー７や補強片７Ｂにて形成することも可能である。本考案自立角底袋は任意の場所に自立させて展示することができるので、
【００２３】
尚、図示例の各構成は、本考案の一実施例に過ぎず、たとえばヘッダー７や開口縁部８の形状やサイズなどは、収納する商品の形態に応じて自由に選択できるものであり、本考案の要旨を変更しない範囲において自由に選択することができる。
【符号の説明】
【００２４】
１  前面フィルム
２  後面フィルム
３  密封チャック
４  横マチ部
５  位置決めシール
６  底部
７  ヘッダー
７Ａ  係止部
７Ｂ  補強片
８  開口縁部
９  装飾体
【図１】
0003194302.tif 000003
【図２】
0003194302.tif 000004
【図３】
0003194302.tif 000005
【図４】
0003194302.tif 000006
【図５】
0003194302.tif 000007
【図６】
0003194302.tif 000008